【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
プロセッサを含む制御ユニットは、
プロセシング要請に対応する要請ホストを表すために、連結識別子（ｃｏｎｎｅｃｔｉｏｎ  ｉｄｅｎｔｉｆｉｅｒ）、物理機能識別子（ｐｈｙｓｉｃａｌ  ｆｕｎｃｔｉｏｎ  ｉｄｅｎｔｉｆｉｅｒ）、仮想機能識別子（ｖｉｒｔｕａｌ  ｆｕｎｃｔｉｏｎ  ｉｄｅｎｔｉｆｉｅｒ）、又はそれらの組合せを含むホストプロファイルを判別し、
通信エンドポイントの前記プロセシング要請を制御するために前記通信エンドポイントにおいて、サービスレベル合意書に合うように前記要請ホストの前記連結識別子、前記物理機能識別子、前記仮想機能識別子、又はそれらの組合せに対応する優先権に基づいて、インスタンスバジェットを計算し、
前記プロセシング要請にあわせるために前記インスタンスバジェットを前記要請ホストに送信するように構成されたことを特徴とするコンピューティングシステム。
【請求項２】
前記制御ユニットは、
プロセシングセグメントの次（ｕｐｃｏｍｉｎｇ）のインスタンスのための装置アクセスクレジット（ｄｅｖｉｃｅ  ａｃｃｅｓｓ  ｃｒｅｄｉｔ）を予測するために消費予測を計算し、
前記消費予測に基づいて前記インスタンスバジェットを計算するように構成されることを特徴とする請求項１に記載のコンピューティングシステム。
【請求項３】
前記制御ユニットは、前記プロセシング要請を処理するためのデータプロバイダーを有する前記通信エンドポイントにおいて前記インスタンスバジェットを計算するように構成されることを特徴とする請求項１に記載のコンピューティングシステム。
【請求項４】
前記制御ユニットは、前記要請ホストに関連する識別情報に基づく、前記要請ホストを表すための前記連結識別子（ｃｏｎｎｅｃｔｉｏｎ  ｉｄｅｎｔｉｆｉｅｒ）、前記物理機能識別子（ｐｈｙｓｉｃａｌ  ｆｕｎｃｔｉｏｎ  ｉｄｅｎｔｉｆｉｅｒ  ）、及び前記仮想機能識別子（ｖｉｒｔｕａｌ  ｆｕｎｃｔｉｏｎ  ｉｄｅｎｔｉｆｉｅｒ）の中の少なくとも一つを含む前記ホストプロファイルを判別するように構成されることを特徴とする請求項１に記載のコンピューティングシステム。
【請求項５】
前記制御ユニットは、前記通信エンドポイントにおいて前記プロセシング要請を処理するためにプロセシングセグメントに対応する前記インスタンスバジェットを計算するように構成されることを特徴とする請求項１に記載のコンピューティングシステム。
【請求項６】
前記制御ユニットは、
前記要請ホストから前記プロセシング要請を処理するために前記通信エンドポイントにおいて前記プロセシング要請を受信するように構成され、
前記プロセシング要請に基づいてプロセシングセグメントのための前記インスタンスバジェットを計算するように構成され、
前記プロセシング要請に応答して前記インスタンスバジェットによって前記通信エンドポイントにおいてプロセシング結果が発生するように構成され、
前記プロセシング結果は、前記プロセシングセグメントに対応することを特徴とする請求項１に記載のコンピューティングシステム。
【請求項７】
前記制御ユニットは、
プロセシングセグメントのための装置アクセスクレジットを予測するために前記ホストプロファイル、及び前記プロセシング要請の中の少なくとも一つに基づいて消費予測を計算し、
前記消費予測に基づいて前記インスタンスバジェットを計算するように構成されることを特徴とする請求項１に記載のコンピューティングシステム。
【請求項８】
前記制御ユニットは、前記プロセシング結果のために前記プロセシング要請を処理するためのスマート格納装置を有する前記通信エンドポイントにおいて前記インスタンスバジェットを計算するように構成されることを特徴とする請求項６に記載のコンピューティングシステム。
【請求項９】
前記制御ユニットは、
前記要請ホストのために利用された全体リソースを表すための装置アクセスクレジットを計算し、
前記インスタンスバジェットを超過しないアクセスクレジットを有する前記プロセシング結果が発生するように構成されることを特徴とする請求項６に記載のコンピューティングシステム。
【請求項１０】
前記制御ユニットは、
前記プロセシングセグメントの間に前記要請ホストのために利用された全体リソースを表すための前記プロセシングセグメントに対応する装置アクセスクレジットを計算し、
前記プロセシングセグメントの各々のインスタンスのための前記装置アクセスクレジットをリセットするように構成されることを特徴とする請求項６に記載のコンピューティングシステム。
【請求項１１】
コンピューティングシステムの動作方法において、
プロセシング要請に対応する要請ホストを表すために連結識別子、物理機能識別子、仮想機能識別子、又はそれらの組合せを含むホストプロファイルを判別する段階と、
通信エンドポイントのプロセシング要請を制御するために前記通信エンドポイントにおいて、サービスレベル合意書に合うように要請ホストの前記連結識別子、前記物理機能識別子、前記仮想機能識別子、又はそれらの組合せに対応する優先権に基づいて、インスタンスバジェットを計算する段階と、
前記プロセシング要請にあわせるために前記インスタンスバジェットを前記要請ホストに送信する段階と、
を含むことを特徴とする方法。
【請求項１２】
前記インスタンスバジェットを計算する段階は、
プロセシングセグメントの次（ｕｐｃｏｍｉｎｇ）のインスタンスのための装置アクセスクレジットを予測するために消費予測を計算する段階と、
前記消費予測に基づいて前記インスタンスバジェットを計算する段階と、を含むことを特徴とする請求項１１に記載の方法。
【請求項１３】
前記インスタンスバジェットを計算する段階は、
前記プロセシング要請を処理するためのデータプロバイダーを有する前記通信エンドポイントにおいて前記インスタンスバジェットを計算する段階を含むことを特徴とする請求項１１に記載の方法。
【請求項１４】
前記ホストプロファイルを判別する段階は、
前記要請ホストに連関した識別情報に基づいた前記要請ホストを表すための前記連結識別子、前記物理機能識別子、及び前記仮想機能識別子の中の少なくとも一つを有する前記ホストプロファイルを判別する段階を含むことを特徴とする請求項１１に記載の方法。
【請求項１５】
前記インスタンスバジェットを計算する段階は、前記通信エンドポイントにおいて前記プロセシング要請を処理するためのプロセシングセグメントのインスタンスに対応する前記インスタンスバジェットを計算する段階を含むことを特徴とする請求項１１に記載の方法。
【請求項１６】
プロセシング要請に対応する要請ホストを表すために、連結識別子、物理機能識別子、仮想機能識別子、又はそれらの組合せを含むホストプロファイルを判別する段階と、
通信エンドポイントのプロセシング要請を制御するために前記通信エンドポイントにおいて、サービスレベル合意書に合うように要請ホストの前記連結識別子、前記物理機能識別子、前記仮想機能識別子、又はそれらの組合せに対応する優先権に基づいて、インスタンスバジェットを計算する段階と、
前記プロセシング要請にあわせるために前記インスタンスバジェットを前記要請ホストに送信する段階と、
を遂行するコンピューティングシステムのためのインストラクションを有することを特徴とする非一時的コンピュータ読出し可能媒体。
【請求項１７】
前記インスタンスバジェットを計算する段階は、
プロセシングセグメントの次（ｕｐｃｏｍｉｎｇ）のインスタンスのための装置アクセスクレジットを予測するために消費予測を計算する段階と、
前記消費予測に基づいて前記インスタンスバジェットを計算する段階と、を含むことを特徴とする請求項１６に記載の非一時的コンピュータ読出し可能媒体。
【請求項１８】
前記インスタンスバジェットを計算する段階は、
前記プロセシング要請を処理するためのデータプロバイダーを有する前記通信エンドポイントにおける前記インスタンスバジェットを計算する段階を含むことを特徴とする請求項１６に記載の非一時的コンピュータ読出し可能媒体。
【請求項１９】
前記ホストプロファイルを判別する段階は、
前記要請ホストに連関した識別情報に基づいて、
前記要請ホストを表すための前記連結識別子、前記物理機能識別子、及び前記仮想機能識別子の中の少なくとも一つを有する前記ホストプロファイルを判別する段階を含むことを特徴とする請求項１６に記載の非一時的コンピュータ読出し可能媒体。
【請求項２０】
前記インスタンスバジェットを計算する段階は、前記通信エンドポイントにおいて前記プロセシング要請を処理するためのプロセシングセグメントのインスタンスに対応する前記インスタンスバジェットを計算する段階を含むことを特徴とする請求項１６に記載の非一時的コンピュータ読出し可能媒体。